(57)【要約】【課題】  整流翼の外力から受ける影響をなくすことができ、ファン当たりによる騒音発生を防止でき、静音化を図ること。【解決手段】  持ち手を兼ねる本体ハウジング２の内部に、ファン９と該ファン９を駆動するモータ１１と該モータ１１を保持し且つ空気流を整流する整流翼６とを備えた送風ブロック４と、送風ブロック４から送られる風を加熱するヒータブロック３と、電源スイッチ５とを本体ハウジング２の長さ方向Ｄに配列して、温風又は冷風を吹き出させるようにしたヘアードライヤー１である。本体ハウジング２の内面部と整流翼６の外周部との間に、本体ハウジング２が外力Ｐを受けて整流翼６の外周部６ａを変形させるのを防止するための空間部７を設けた。【選択図】        図１
2005198985.tif 000002
【特許請求の範囲】
【請求項１】
持ち手を兼ねる本体ハウジングの内部に、ファンと該ファンを駆動するモータと該ファンからの空気流を整流する整流翼とを備えた送風ブロックと、送風ブロックから送られる風を加熱するヒータブロックとをそれぞれ収納して、温風又は冷風を吹き出させるようにしたヘアードライヤーであって、本体ハウジングの内面部と整流翼の外周部との間に、本体ハウジングが外力を受けて整流翼の外周部を変形させるのを防止するための空間部を設けたことを特徴とするヘアードライヤー。
【請求項２】
上記整流翼の外周部に突出部を設けると共に、略筒状の本体ハウジングの内面部に上記突出部を保持して本体ハウジングの長さ方向への整流翼の移動を規制するための保持部を設けたことを特徴とする請求項１記載のヘアードライヤー。
【請求項３】
上記整流翼の突出部の一部に、本体ハウジングの保持部に係止して本体ハウジングの長さ方向と略直交する方向への整流翼の移動を規制するための係止部を設けたことを特徴とする請求項２記載のヘアードライヤー。
【請求項４】
上記整流翼近傍で且つ整流翼よりも上流側に空気吸込用のリング部材を配置すると共に、本体ハウジングの内面部にリング部材の外周部を保持するための突条部を突出させたことを特徴とする請求項１又は２又は３記載のヘアードライヤー。
【発明の詳細な説明】
【技術分野】
【０００１】
本発明は、温風又は冷風を吐出して毛髪の乾燥やセットを行なうヘアードライヤーに関するものである。
【背景技術】
【０００２】
従来より、図５に示すように、略筒状の本体ハウジング２の内部に、吸込側Ａより吸気した空気を下流へ送るファン９と該ファン９を駆動するモータ１１と該ファン９からの空気流を整流する整流翼６とを備えた送風ブロック４と、送風ブロック４かたら送られる風を加熱するヒータブロック３と、電源スイッチ５とをそれぞれ収納して、温風又は冷風を吹出側Ｂに吹き出させるヘアードライヤー１が知られている（例えば、特許文献１参照）。
【０００３】
ところが、従来では、図６に示すように、整流翼６の外周部６ａを本体ハウジング２の内面部２ａにて保持しているため、使用者が本体ハウジング２を手で握った場合に、整流翼６の外周部６ａが本体ハウジング２からの外力Ｐの影響を受けやすい構造となる。すなわち、本体ハウジング２が外力Ｐを受けて変形すると、整流翼６の外周部６ａが内側Ｃに変形して、ファン翼端９ａに当たる現象が起こりやすい。このようなファン当たりが発生すると、異音を生じたり、風量が低下して吹出口の風温が上がったり、ファン９がロックするといった問題が起こる。
【０００４】
なお、ファン当たりをなくす方法として、整流翼６の変形量を考慮して、整流翼６とファン翼端９ａとの隙間Ｇを予め大きく設計しておくことが考えられるが、しかしながらこの場合、ファン翼端９ａから渦が発生して空気流の乱れの原因となり、騒音増大につながるという問題がある。
【特許文献１】特開２０００−１７５７２９号公報
【発明の開示】
【発明が解決しようとする課題】
【０００５】
本発明は上記の従来の問題点に鑑みて発明したものであって、本体ハウジングが外力の影響を受けやすい場合でも、整流翼の変形をなくすことができ、ファン当たりのないヘアードライヤーを提供することを課題とするものである。
【課題を解決するための手段】
【０００６】
上記課題を解決するために本発明にあっては、持ち手を兼ねる本体ハウジング２の内部に、ファン９と該ファン９を駆動するモータ１１と該ファン９からの空気流を整流する整流翼６とを備えた送風ブロック４と、送風ブロック４から送られる風を加熱するヒータブロック３とをそれぞれ収納して、温風又は冷風を吹き出させるようにしたヘアードライヤーであって、本体ハウジング２の内面部２ａと整流翼６の外周部６ａとの間に、本体ハウジング２が外力Ｐを受けて整流翼６の外周部６ａを変形させるのを防止するための空間部７を設けたことを特徴としている。
【０００７】
このような構成とすることで、使用者が手で握った際に本体ハウジング２が外力Ｐを受けて変形した場合でも、空間部７の存在によって整流翼６が内側Ｃへ変形することがない。これにより、ファン当たりによる不具合、例えば、異音を生じたり、風量が低下して吹出口の風量が低下して吹出口１７の風音が上がったり、ファン９がロックしたりする問題をなくすことができる。そのうえ、整流翼６の外周部６ａが内側Ｃへ変形しないため、整流翼６とファン翼端９ａとの隙間Ｇを狭めた設計が可能となり、これにより空気流の乱れの原因となる渦がファン翼端９ａから発生するのを抑制でき、静音化を実現できるものである。
【０００８】
また、上記整流翼６の外周部６ａに突出部１０を設けると共に、略筒状の本体ハウジング２の内面部２ａに上記突出部１０を保持して本体ハウジング２の長さ方向Ｄへの整流翼６の移動を規制するための保持部１２を設けるのが好ましく、この場合、突出部１０を保持部１２で保持するだけで、整流翼６を本体ハウジング２の長さ方向Ｄに位置決めでき、送風ブロック４が組み込み易くなる。
【０００９】
また、上記整流翼６の突出部１０の一部に、本体ハウジング２の保持部１２に係止して本体ハウジング２の長さ方向Ｄと略直交する方向Ｅへの整流翼６の移動を規制するための係止部１３を設けるのが好ましく、この場合、空間部７の確保が容易となり、しかも、係止部１３を保持部１２に係止させるだけで、整流翼６を本体ハウジング２の長さ方向Ｄと略直交する方向Ｅに位置決めでき、送風ブロック４が組み込み易くなる。
【００１０】
また、上記整流翼６近傍で且つ整流翼６よりも上流側Ａに空気吸込用のリング部材１４を配置すると共に、本体ハウジング２の内面部２ａにリング部材１４の外周部１４ａを保持するための突条部１５を突出させるのが好ましく、この場合、突条部１５はリング部材１４の外周部１４ａを保持する機能に加えて、本体ハウジング２の内面部２ａを補強して本体ハウジング２が外力Ｐを受けにくくする機能も併せ持つこととなる。
【発明の効果】
【００１１】
本発明に係るヘアードライヤーにあっては、使用者が手で握った際に本体ハウジングが外力を受けて変形した場合でも、整流翼の内側への変形を防止でき、ファン当たりによる不具合をなくすことができる。
【発明を実施するための最良の形態】
【００１２】
以下、本発明を添付図面に示す実施形態に基いて説明する。
【００１３】
本実施形態のブラシ付きヘアードライヤー１は、図１に示すように、持ち手を兼ねる略筒状の本体ハウジング２の一端に吸込口１６、他端に吹出口１７が設けられている。本体ハウジング２内には、送風ブロック４と、送風ブロック４から送られる風を加熱するヒータブロック３と、電源スイッチ５とがそれぞれ収納され、温風又は冷風を吹出口１７から吹き出させる構成となっている。送風ブロック４は、吸込口１６より吸気した空気を下流へ送るファン９と、ファン９を駆動するモータ１１と、ファン９からの空気流を整流する整流翼６とを備えている。なお図１中の８は送風ブロック４からの風を本体ハウジング２の中心方向へ整流する整流部材である。この整流部材８は、送風ブロック４からの風を整流して電源スイッチ５を冷却しつつ、且つ乱流を発生させることなく、ヒータブロック３内に常に安定した風を送る働きをする。図１中の１８は電源スイッチ５の操作部、１９は電源コードである。
【００１４】
上記送風ブロック４の上流側Ａには、空気吸込用のリング部材１４が配置されている。図２に示すように、リング部材１４はフィルターを兼ねるものであり、その外周部１４ａが本体ハウジング２の内面部２ａから突出した２条の突条部１５にて保持されている。２条の突条部１５は本体ハウジング２の内面部２ａの略全周に亘って設けられており、リング部材１４を保持する機能に加えて、本体ハウジング２を補強する機能も併せ持っている。
【００１５】
上記本体ハウジング２の吹出口１７には、図３に示すように、アタッチメント２０が装着可能となっている。アタッチメント２０には、複数のブリスル２１と、ブリスル２１相互間において開口した複数の噴出孔２２とを備えたブラシ２３が設けられており、各噴出孔２２から温風又は冷風を噴出させる構造となっている。
【００１６】
ここにおいて、本発明では、本体ハウジング２が受けた外力Ｐによって送風ブロック４の整流翼６が内側Ｃに変形しないことを目的として、図２に示すように、整流翼６の外周部６ａと本体ハウジング２の内面部２ａとの間に空間部７を設けている。空間部７は本体ハウジング２の内面部２ａの略全周方向に亘って、本体ハウジング２の長さ方向Ｄと略直交する方向Ｅに所定の厚みで形成されている。この空間部７は本体ハウジング２が外力Ｐを受けて整流翼６の外周部６ａを変形させるのを防止する働きをする。なお本例では、整流翼６の内面の上流側部分を、吸込側に向かってテーパー状に拡開させてある。
【００１７】
しかして、使用者が手で握った際に本体ハウジング２が外力Ｐを受けて変形した場合でも、空間部７の存在によって整流翼６が外力Ｐを受けて内側Ｃへ変形することがなくなる。従って、整流翼６がファン９に当たる現象がなくなり、異音を生じたり、風量が低下して吹出口１７の風量が低下して吹出口１７の風音が上がったり、ファン９がロックしたりする事態をなくすことができる。そのうえ整流翼６の内側Ｃへの変形をなくすことで、整流翼６とファン翼端９ａとの隙間Ｇを狭めた設計が可能となり、これによりファン翼端９ａから発生する渦を抑制でき、一層の静音化を実現できるものとなる。
【００１８】
また本例では、上記整流翼６の外周部６ａの略全周方向に、ファン根元部９ｂよりも下流側Ｂに寄せて凸状の突出部１０が突設されており、一方、本体ハウジング２の内面部２ａの略全周方向に、上記突出部１０が挿入される２条の凸状の保持部１２が突設されている。保持部１２は、突出部１０を両側から挟み込んで本体ハウジング２の長さ方向Ｄへの整流翼６の移動を規制する機能を備えると共に、本体ハウジング２を補強する機能も備えている。保持部１２による突出部１０の保持によって、整流翼６が本体ハウジング２の長さ方向Ｄと略直交する方向Ｅに向ってブレるのを効果的に防止でき、空間部７を確保しやすくなると同時にファン当たりも確実に防止できる利点があり、そのうえ突出部１０を保持部１２にて保持するだけで、整流翼６を本体ハウジング２の長さ方向Ｄに位置決めできるので、送風ブロック４の組み立て性が良くなる利点もある。
【００１９】
また、図２に示すように、突出部１０の先端と本体ハウジング２の内面部２ａとの間には小空間７ａが形成されている。これにより、本体ハウジング２が外力Ｐを受けた場合に、本体ハウジング２の内面部２ａが突出部１０の先端に当たることを防止できる。ちなみに、小空間７ａがない場合は、本体ハウジング２が外力Ｐで変形した場合に突出部１０の先端を押してしまい、結果的に整流翼６が内側Ｃに変形してファン９に当たりやすくなるが、本例では、小空間７ａの存在によって突出部１０の先端と本体ハウジング２の内面部２ａとの接触を回避できるものである。
【００２０】
また、図２に示すように、本体ハウジング２の内面部２ａにリング部材１４の外周部１４ａを保持する２条の突条部１５が突設されている。この２条の突条部１５は、整流翼６が外力Ｐを受けやすい場所の近くに設けられているため、本体ハウジング２の変形量を効果的に軽減できるようになる。しかも、リング部材１４の外周部１４ａは２条の突条部１５，１５間に隙間なく当接しているため、本体ハウジング２が外力Ｐをうけた場合、その外力をリング部材１４にて受け止めることができ、この結果、空間部７を確保することが、一層容易となる。
【００２１】
さらに本例では、整流翼６が本体ハウジング２の長さ方向Ｄと直交する方向Ｅに移動するのを規制することを目的として、整流翼６の突出部１０の一部に、図３に示すように、本体ハウジング２の保持部１２に係止するピン状の係止部１３を設けてある。この係止部１３と保持部１２との係止状態の一例を図４（ａ）（ｂ）に示す。
【００２２】
先ず図４（ａ）は、本体ハウジング２を２つの半割れハウジング２Ａ、２Ｂで構成し、一方の半割れハウジング２Ａの保持部１２の一端と他方の半割れハウジング２Ｂの保持部１２の一端との間に係止部１３を挟み込むようにして、本体ハウジング２を組み立てた場合の一例を示している。この場合、矢印ａで示すように、保持部１２，１２の両端によって係止部１３が挟圧されて保持されることとなり、これにより、整流翼６の矢印Ｅ方向への移動を確実に阻止できると同時に、整流翼６の矢印Ｍ方向への回転移動も止めることができる構造となり、この結果、本体ハウジング２と整流翼６との間の空間部７を確保しやすくなると同時に、整流翼６を含む送風ブロック４を本体ハウジング２に対して、一層、組み込み易くできるものである。一方、図４（ｂ）は、突条部１５の一部に係止部１３が嵌り込む凹所４０を設けたものであり、この場合でも、図４（ａ）と同様に、整流翼６の移動を確実に阻止できる構造となる。
【００２３】
本発明に係るヘアードライヤー１は、前記図３に示したブラシ付きのものに限らず、ブラシを持たないものにも広く適用可能である。
【図面の簡単な説明】
【００２４】
【図１】本発明に係るヘアードライヤーからブラシのアタッチメントを取り外した状態の一例を示し、（ａ）は断面図、（ｂ）は外観図である。
【図２】同上の空間部付近の拡大断面図である。
【図３】（ａ）は同上のヘアードライヤーにアタッチメントを取り付けた場合の断面図、（ｂ）は外観図である。
【図４】（ａ）は他の実施形態の説明図、（ｂ）は更に他の実施形態の説明図である。
【図５】（ａ）は従来のヘアードライヤーの断面図、（ｂ）は外観図である。
【図６】従来の本体ハウジングと整流翼との配置状態を説明する拡大断面図である。
【符号の説明】
【００２５】
１  ヘアードライヤー
２  本体ハウジング
２ａ  内面部
３  ヒーターブロック
４  送風ブロック
５  電源スイッチ
６  整流翼
６ａ  外周部
７  空間部
９  ファン
１０  突出部
１１  モータ
１２  保持部
１３  係止部
１４  リング部材
１４ａ  外周部
１５  突条部
Ａ  上流側
Ｂ  下流側
Ｃ  内側
Ｄ  長さ方向
Ｅ  直交する方向
Ｐ  外力
【図１】
2005198985.tif 000003
【図２】
2005198985.tif 000004
【図３】
2005198985.tif 000005
【図４】
2005198985.tif 000006
【図５】
2005198985.tif 000007
【図６】
2005198985.tif 000008